(57)【要約】【課題】  連結部の強固性は従来のものと比べても遜色のないものでありながら、ボードの同じ面から雌部材と雄部材を順次止め付けてボードの重合箇所を連結することができるボード連結用鋲の提供。【解決手段】  柱状部１２と、該柱状部１２の一端に形成された平板部１１とを有する雄部材Ｍと、前記柱状部１２を受け入れる孔２４を有した環状平板部２１と、該環状平板部２１から直交する方向に形成し且つ内方へ向かって下搾りに形成され、スリット２５により分割された筒状突出部２２と、該筒状突出部２２の突出端の外周面に形成された爪部２３とを有する雌部材Ｆとから構成され、雌部材Ｆを連結すべきボードの一面から嵌入後、同じ面から雄部材Ｍの前記柱状部１２を雌部材Ｆの孔２４を通して挿入させたとき、筒状突出部２２を外方へ向かって弾力的に押し広げる構造としている。【選択図】        図１
2005127390.tif 000002
【特許請求の範囲】
【請求項１】
合成樹脂素材で成形されたボード連結用鋲であって、柱状部(12)と、該柱状部(12)の一端に形成された平板部(11)とを有する雄部材(M)と、前記柱状部(12)を受け入れる孔(24)を有した環状平板部(21)と、該環状平板部(21)から直交する方向に形成し且つ内方へ向かって下搾りに形成され、スリット(25)により分割された筒状突出部(22)と、該筒状突出部(22)の突出端の外周面に形成された爪部(23)とを有する雌部材(F)とから構成され、雌部材(F)を連結すべきボードの一面から嵌入後、同じ面から雄部材(M)の前記柱状部(12)を雌部材(F)の孔(24)を通して挿入させたとき、筒状突出部(22)を外方へ向かって弾力的に押し広げる構造としているボード連結用鋲。
【請求項２】
雄部材Ｍの平板部(11)が雌部材(F)の環状平板部(21)と接するまで雌部材(F)に挿入したときに、雄部材(M)が雌部材(F)に係止することができる係止部(13)を有することを特徴とする請求項１に記載のボード連結用鋲。
【発明の詳細な説明】
【技術分野】
【０００１】
本発明は、ボードを連結するため、特に、ダンボール紙、プラ板、ＰＰボード等の箱形成用板状素材を折り曲げて包装用箱を形成する際に、箱形成用板状素材の重合箇所を止め付けて連結するためのボード連結用鋲に関するものである。
【背景技術】
【０００２】
従来、ボード連結用鋲としては、互いに係合しあう同種または異種の雄部材と雌部材を、中間に連結すべきボードを挟んで、両側から止め付けて使用するタイプのものが公知である。
【０００３】
このようなタイプのボード連結用鋲は、連結するボードを互いに密着する方向に両側から押し付けながら、雄部材と雌部材を係合、あるいは係止するものであるため、ボードの連結部の強固性の観点からすると理にかなったものである。
【特許文献１】実公平７−５５３７６号公報
【特許文献２】実公平５−１６９１号公報
【特許文献３】実開昭６３−１７３１５号公報
【発明の開示】
【発明が解決しようとする課題】
【０００４】
しかしながら、例えば、ボードとして段ボール紙等の箱形成用板状素材を用いて大きさの大きい包装用箱を形成する場合、大きい箱の最深部の箱形成用板状素材を連結するときに、箱自体の大きさで連結部まで手が届かず、箱形成用板状素材の両側からボード連結用鋲を止め付けることができないといった問題があった。
【０００５】
そこで、本発明は、連結部の強固性は従来のものと比べても遜色のないものでありながら、ボードの同じ面から雄部材と雌部材を順次止め付けてボードの重合箇所を連結することができるボード連結用鋲を提供するものである。
【課題を解決するための手段】
【０００６】
この課題を解決するために講じた本発明にいうボード連結用鋲の構成を、実施例を示す図面に使用した共通の符号を用いて説明すると、本発明のボード連結用鋲は、合成樹脂素材で成形されたボード連結用鋲であって、柱状部１２と、該柱状部１２の一端に形成された平板部１１とを有する雄部材Ｍと、前記柱状部１２を受け入れる孔２４を有した環状平板部２１と、該環状平板部２１から直交する方向に形成し且つ内方へ向かって下搾りに形成され、スリット２５により分割された筒状突出部２２と、該筒状突出部２２の突出端の外周面に形成された爪部２３と、を有する雌部材Ｆと、から構成され、雌部材Ｆを連結すべきボードの一面から嵌入後、同じ面から雄部材Ｍの前記柱状部１２を雌部材Ｆの孔２４を通して挿入させたとき、筒状突出部２２を外方へ向かって弾力的に押し広げる構造としているボード連結用鋲にかかるものである。
【発明の効果】
【０００７】
本発明の請求項１記載のボード連結用鋲によれば、ボードの同じ面からボード連結用鋲の雌部材と雄部材を順次止め付けるという構成により、例えば、ボードとして段ボール紙等の箱形成用板状素材を用いて大きさの大きい包装用箱を形成する場合であっても、箱自体の大きさで連結部まで手が届かないという事態を回避して、どちらか一方の係り止めし易い面を選んで雌部材と雄部材を順次止め付けて、容易に箱形成用板状素材を連結することができるという優れた効果を奏し得る。
【０００８】
また、雄部材Ｍと雌部材Ｆを請求項１に記載の構成とし、雄部材Ｍの前記突起部１２を雌部材Ｆの孔２４を通して挿入させたとき筒状突出部２２を外方へ向かって弾力的に押し広げる構造とすることにより、雌部材Ｆに形成された爪部２３が箱形成用板状素材に引っかかって、環状平板部２１と爪部２３によって連結すべきボードを挟み込むことができ、強固にボードを連結することができる。
【発明を実施するための最良の形態】
【０００９】
本発明を実施するにあたって、雄部材Ｍの平板部１１が雌部材Ｆの環状平板部２１と接するまで雌部材Ｆに挿入したときに、雄部材Ｍが雌部材Ｆに係止することができる係止部１３を有する構成とするのが好ましい。これにより、雄部材Ｍが雌部材Ｆに対して固定されることにより、雌部材Ｍの筒状突出部２２が外方へ向かって弾力的に押し広げられた状態を安定的に維持することができ、これに伴い、環状平板部２１と爪部２３によってボードが挟み込まれ連結された状態も安定的に維持することができる。
【００１０】
雄部材Ｍが雌部材Ｆに対して固定されるより具体的な構成として、雄部材Ｍに形成された平板部１１の形状は、円形、方形等任意であり、大きさも任意であるが、雌部材Ｆの環状平板部２１に形成された孔２４に嵌り込まない大きさ、形状で形成することにより、雄部材Ｍの平板部１１が雌部材Ｆの環状平板部２１と接して、雄部材Ｍが雌部材Ｆの孔２４に必要以上に挿入することを防止することができる。
【００１１】
また、雄部材Ｍを雌部材Ｆに挿入した際に、雄部材Ｍの係止部１３が雌部材Ｆに係止する構成は、雄部材Ｍが雌部材Ｆから抜けることを防止することができれば、雄部材Ｍのどのような場所に形成してもよいし、どのような大きさ、形でもよい。雄部材Ｍの係止部１３に係合する雌部材Ｆの係止部２６を形成してもよい。
【実施例】
【００１２】
以下、本発明の実施例を図示例と共に説明する。図１〜図３は本願発明の第１実施例のボード連結用鋲であって、図１は斜視図、図２および図３は使用状態を示すＡ−Ａ線断面図を示す。
【００１３】
該第１実施例のボード連結用鋲は、合成樹脂素材で成形された雄部材Ｍと雌部材Ｆからなるボード連結用鋲であって、個々の部材を具体的に説明すると、図１に示したように、雄部材Ｍは、円形の柱状部１２の一端に形成された円形の平板部１１と他端に形成された係止部１３とから形成されている。雌部材Ｆは、雄部材Ｍの柱状部１２を受け入れる円形の孔２４を有した円形の環状平板部２１と、該環状平板部２１から直交する方向に形成し且つ内方へ向かって下搾りに形成された筒状突出部２２と、該筒状突出部２２の突出端の外周面に形成された爪部２３とから形成されている。筒状突出部２２の筒壁には、筒状部分を２等分するようにスリット２５が入れられている。また、雄部材Ｍの円形の平板部１１と雌部材Ｆの円形の環状平板部２１の径は、略同形に形成している。
【００１４】
使用にあたっては、図２に示すように、最初に、ダンボール紙を重合させた連結箇所に、裏表どちらか一面から雌部材Ｆを嵌め込む。次いで、同じ面から雄部材Ｍの柱状部１２を係止部１３が形成された側から、雌部材Ｆの環状平板部２１に形成された孔２４を通して筒状突出部２２の筒内へ挿入させていく。
【００１５】
雄部材Ｍを挿入するに従い下絞りに形成され、かつスリット２５により２等分された筒状突出部２２は、雄部材Ｍの係止部１３あるいは柱状部１２の厚みにより、外方向に弾力的に押し広げられ、図３に示したように、爪部２３が重合したダンボール紙に引っ掛かり、重合したダンボール紙は環状平板部２１と爪部２３により挟み込まれ連結される。
【００１６】
他方、雄部材Ｍの円形の平板部１１と雌部材Ｆの環状平板部２１が接すると、雄部材Ｍが雌部材Ｆにこれ以上挿入されるのが防止される。また、雄部材Ｍの係止部１３は雌部材Ｆの筒状突出部２２の筒内を貫通した後、雌部材Ｆの筒状突出部２２の突出端に係り止めされて、雄部材Ｍが雌部材Ｆから抜け落ちるのが防止される。これらの作用により、雄部材Ｍは雌部材Ｆに対して固定されることになり、その結果、雄部材Ｍの柱状部１２の厚みにより雌部材Ｆの筒状突出部２２が外方へ向かって弾力的に押し広げられた状態で安定的に維持することができ、重合したダンボール紙は、雌部材Ｆの環状平板部２１と爪部２３により挟み込まれて安定的にかつ強固に連結される。
【００１７】
図４は、本願発明第２実施例のボード連結用鋲の斜視図であり、合成樹脂素材で成形された雄部材Ｍと雌部材Ｆからなるボード連結用鋲である。雄部材Ｍは、円形の柱状部１２と、柱状部１２の一端に形成された円形の平板部１１と、他端の外周面に形成された２段の山型構造の係止部１３とから形成されている。雌部材Ｆは、前記柱状部１２を受け入れる円形の孔２４を有した円形の環状平板部２１と、該環状平板部２１から直交する方向に形成し且つ内方へ向かって下搾りに形成された筒状突出部２２と、該筒状突出部２２の突出端の外周面に形成された爪部２３とから形成されていて、該筒状突出部２２の筒壁には、筒状部分を２等分するようにスリット２５が入れられている。これらの点は第１実施例と同様であるが、筒状突出部２２の突出端の内周面には、前記係止部１３と係合できる２段の谷型構造の係止部２６が形成されている。また、雌部材Ｆの筒状突出部２２は内方へ向かって下搾りに形成されているので、その内径は爪部２３の方向に向かうほど小さくなるが、図２および図３に示すように、筒状突出部２２の突出端に近い側の内壁の肉厚を厚くして内径をより小さくするように形成し、雄部材Ｍを雌部材Ｆに挿入したときに雌部材Ｆの筒状突出部２２を外方へ向かって弾力的に押し広げる作用を大きくしている。
【００１８】
使用方法は、第１実施例と同様、図５に示したように、最初に、ダンボール紙を重合させた連結箇所に、裏表どちらか一面から、雌部材Ｆを嵌め込んだ後、同じ面から、雄部材Ｍを雌部材Ｆの筒状突出部２２の筒内へ挿入させる。
【００１９】
すると、図６に示したように、第１実施例と同様に、雌部材Ｆの筒状突出部２２は、雄部材Ｍの係止部１３あるいは柱状部１２の厚みにより、外方向に弾力的に押し広げられ、爪部２３が重合したダンボール紙に引っ掛かり、重合したダンボール紙は環状平板部２１と爪部２３により挟み込まれ連結される。
【００２０】
他方、雄部材Ｍの円形の平板部１１と雌部材Ｆの環状平板部２１が接すると、雄部材Ｍの２段の山型構造の係止部１３と雌部材Ｆの２段の谷型構造の係止部２６が係合し、これにより雄部材Ｍが雌部材Ｆから抜け落ちるのが防止される。また、雄部材Ｍの柱状部１２および係止部１３の厚みにより雌部材Ｆの筒状突出部２２が外方へ向かって弾力的に押し広げられた状態は安定的に維持される。
【００２１】
図７は、本願発明第３実施例のボード連結用鋲の斜視図であり、合成樹脂素材で成形された雄部材Ｍと雌部材Ｆからなるボード連結用鋲である。雄部材Ｍは、円形の柱状部１２と、柱状部１２の一端に形成された円形の平板部１１と、他端に形成された球体部１４とから形成されていて係止部１３は形成されていない。雌部材Ｆは第１実施例とほぼ同様の構成であるが、筒状突出部２２の筒内は、内方へ向かって下搾りに形成された筒壁に沿って貫通している。なお、雄部材Ｍの球体部１４の径は、雌部材Ｆの孔２４の内径とほぼ等しい大きさで形成されている。
【００２２】
使用方法は、第１実施例および第２実施例と同様であるが、図８に示したように、ダンボール紙を重合させた連結箇所に、裏表どちらか一面から雌部材Ｆを嵌め込んだ後、同じ面から雄部材Ｍを雌部材Ｆの筒状突出部２２の筒内へ挿入させる。すると、図９に示したように筒状突出部２２は、雄部材Ｍの球体部１４の厚みにより外方向に弾力的に押し広げられる。
【００２３】
他方、雄部材Ｍの円形の平板部１１と雌部材Ｆの環状平板部２１が接すると、雄部材Ｍには係止部１３は形成されていないので雄部材Ｍが雌部材Ｆに係り止めされないが、雄部材Ｍの球体部１４に対して外方向に弾力的に押し広げられた雌部材Ｆの筒状突出部２２は内方へ向かう。すなわち、球体部１４を締め付ける方向に復元力が働いて雄部材Ｍが雌部材Ｆから抜け落ちるのが防止される効果が得られる。
【００２４】
以上本発明の代表例と思われる実施例について説明したが、本発明のボード連結用鋲は、上述の実施例にのみ限定されるものではなく、例えば、雄部材Ｍの柱状部１２を雌部材Ｆの孔２４に挿入させたとき、筒状突出部２２は外方へ向かって弾力的に押し広げる構成であれば、雄部材Ｍの柱状部１２又は係止部１３あるいは球体部１４、雌部材Ｆの筒状突出部２２の筒内の内径の大きさや形状及び構造は任意に設定でき、その他本発明にいう前記の構成要件を備え、かつ本発明にいう目的を達成し、本発明にいう効果を有する範囲内において適宜改変して実施することができるものである。
【産業上の利用可能性】
【００２５】
本発明のボード連結用鋲は、従来の連結すべきボードを挟んで両側からボード連結用鋲を止め付けるタイプのものとは異なり、ボードの同じ面から雄部材と雌部材を止め付けてボードの重合箇所を連結することができるという点において簡単便利であり、今後、特に箱形成用板状素材を連結するボード連結用鋲として販売要請の高い発明である。
【図面の簡単な説明】
【００２６】
【図１】第１実施例の斜視図。
【図２】第１実施例の使用状態を示す断面図。
【図３】第１実施例の使用状態を示す断面図。
【図４】第２実施例の斜視図。
【図５】第２実施例の使用状態を示す断面図。
【図６】第２実施例の使用状態を示す断面図。
【図７】第３実施例の斜視図。
【図８】第３実施例の使用状態を示す断面図。
【図９】第３実施例の使用状態を示す断面図。
【符号の説明】
【００２７】
１１  平板部
１２  柱状部
１３  係止部
１４  球体部
２１  環状平板部
２２  筒状突出部
２３  爪部
２４  孔
２５  スリット
２６  係止部
Ｍ  雄部材
Ｆ  雌部材
【図１】
2005127390.tif 000003
【図２】
2005127390.tif 000004
【図３】
2005127390.tif 000005
【図４】
2005127390.tif 000006
【図５】
2005127390.tif 000007
【図６】
2005127390.tif 000008
【図７】
2005127390.tif 000009
【図８】
2005127390.tif 000010
【図９】
2005127390.tif 000011